(57)【特許請求の範囲】
【請求項１】
押し上げ及び押し上げ解除により上下揺動して遊技球を１個ずつ遊技球発射位置へ送る球送り部材と、
一方向への揺動により前記球送り部材を押し上げ、他方向への揺動により前記押し上げ解除を行う連動レバーと、
前記遊技球発射位置と、遊技球発射準備位置間を往復揺動し、該揺動時に前記連動レバーと係合して連動レバーを揺動させるとともに、前記遊技球発射準備位置から遊技球発射位置への揺動時に遊技球発射位置の遊技球を弾発発射する打球槌とを備える弾球遊技機であって、
前記遊技球発射準備位置から前記遊技球発射位置へ前記打球槌が戻る際に揺動した前記連動レバーと衝突する発射レールを備え、
前記連動レバーに連動レバー側係合部を設け、
前記打球槌に少なくとも先端が二本あるいは二股として前記先端を略Ｌ字状に屈曲させて前記連動レバー側係合部の両側を挟む打球槌側係合部を係合手段として設け、
前記連動レバーに対する前記打球槌の係合手段が、前記打球槌の前記遊技球発射位置から前記遊技球発射準備位置への揺動と、前記遊技球発射準備位置から前記遊技球発射位置への揺動のいずれの揺動時にも前記連動レバーと係合し、前記打球槌の往復揺動に応じて前記連動レバーを強制的に往復揺動させるものであることを特徴とする弾球遊技機。
【発明の詳細な説明】
【０００１】
【発明の属する技術分野】
この発明は、パチンコ遊技機等の弾球遊技機に関し、特に遊技球を１個ずつ確実に遊技球発射位置に供給することができる弾球遊技機に関する。
【０００２】
【従来の技術】
従来の弾球遊技機として、遊技球供給皿に貯められた遊技球を１個ずつ発射レール上の遊技球発射位置に送り、打球槌の円弧状の揺動により遊技球を遊技領域に発射する構造のものが、実公平４−３８８５９号公報等に例示されている。その主要部の構造を図１４に示す。この構造において、遊技球供給皿（図示せず）に貯められた遊技球は球送りカセットＫａ内を通過し、球送り部材Ｕに誘導される。
【０００３】
球送り部材Ｕは、側面視略Ｊ字形状のものとされてカセットＫａに上下揺動可能に保持されており、当該球送り部材Ｕの側部に突出形成された押し上げ部Ｕ５が、連動レバー９０で押し上げられることにより上向きに揺動して遊技球を球送り部Ｕ３で一旦受け、連動レバー９０による押し上げ解除によって自重で下向きに揺動して、遊技球を１個ずつ図１５に示される発射レール１０８の遊技球発射位置に供給する。
【０００４】
連動レバー９０は、押し上げ作動アーム９０Ｂと係合アーム９０Ａが回転軸９０Ｄを介して一体に連結されており、前記回動軸９０Ｄを中心として球送り部材Ｕの揺動面とは直交する面（遊技機の背面とは平行な面）で揺動可能とされている。この連動レバー９０は一側のＱ方向上向きへの揺動時に押し上げ作動アーム９０Ｂによって球送り部材Ｕの押し上げ部Ｕ５を押し上げ、それに対して押し上げ作動アーム９０Ｂ及び係合アーム９０Ａの自重による下向き揺動時に、押し上げ作動アーム９０Ｂによる押し上げ部Ｕ５の押し上げを解除するようになっている。
【０００５】
打球槌Ｊ３は、駆動モータを用いるカム機構によって、発射レール１０８の遊技球発射位置と、遊技球発射準備位置（図１４及び図１５で示される打球槌Ｊ３の位置）との間を往復揺動し、遊技球発射準備位置から遊技球発射位置への揺動によって遊技球発射位置の遊技球を弾発発射させる。この打球槌Ｊ３は、連動レバー９０の揺動方向一側に配置され、係合手段として固定された係合針金Ｊ１３の先端屈曲部Ｊ１４が連動レバー９０の係合アーム９０Ａを超えて打球槌Ｊ３とは反対側の係合アーム９０Ａの側部に係合している。
【０００６】
そして、打球槌Ｊ３が遊技球発射位置から遊技球発射準備位置へ揺動する際に、係合針金Ｊ１３の先端屈曲部Ｊ１４が連動レバー９０の係合アーム９０Ａに係合して係合アーム９０Ａを打球槌Ｊ３側へ引っ張り、それによって係合アーム９０Ａ及び押し上げ作動アーム９０ＢをＱ方向上向きに揺動させ、球送り部材Ｕの押し上げ部Ｕ５を押し上げる。また、打球槌Ｊ３が遊技球発射準備位置から遊技球発射位置へ戻る際には、打球槌Ｊ３と同方向へ係合針金Ｊ１３が揺動して係合針金Ｊ１３の先端屈曲部Ｊ１４が係合アーム９０Ａの側部から離れ、係合が解除される。その係合解除によって連動レバー９０が押し上げ作動アーム９０Ｂ及び係合アーム９０Ａの自重で下方へ揺動し、押し上げ作動アーム９０Ｂによる押し上げ部Ｕ５の押し上げが解除される。
【０００７】
しかし、前記構造にあっては、打球槌Ｊ３が遊技球発射準備位置から遊技球発射位置へ揺動する際に、係合針金Ｊ１３の先端屈曲部Ｊ１４が連動レバー９０の係合アーム９０Ａから離れて連動レバー９０が係合解除された状態になる。そのため、係合解除された連動レバー９０は、押し上げ作動アーム９０Ｂ及び係合アーム９０Ａの自重による自由回転で発射レール１０８の下端部１０８ｆに衝突し、その際の衝撃による反動で連動レバー９０が不規則に往復揺動し、それによって球送り部材Ｕの押し上げ部Ｕ５が不規則に上下揺動して遊技球発射位置に２個以上の遊技球を送り出したり、逆に遊技球が送り出されることなく打球槌Ｊ３が空打ちとなる不具合が、まれにではあるが発生していた。
【０００８】
【課題を解決するための手段】
すなわち、本発明は、押し上げ及び押し上げ解除により上下揺動して遊技球を１個ずつ遊技球発射位置へ送る球送り部材と、一方向への揺動により前記球送り部材を押し上げ、他方向への揺動により前記押し上げ解除を行う連動レバーと、前記遊技球発射位置と、遊技球発射準備位置間を往復揺動し、該揺動時に前記連動レバーと係合して連動レバーを揺動させるとともに、前記遊技球発射準備位置から遊技球発射位置への揺動時に遊技球発射位置の遊技球を弾発発射する打球槌とを備える弾球遊技機であって、前記遊技球発射準備位置から前記遊技球発射位置へ前記打球槌が戻る際に揺動した前記連動レバーと衝突する発射レールを備え、前記連動レバーに連動レバー側係合部を設け、前記打球槌に少なくとも先端が二本あるいは二股として前記先端を略Ｌ字状に屈曲させて前記連動レバー側係合部の両側を挟む打球槌側係合部を係合手段として設け、前記連動レバーに対する前記打球槌の係合手段が、前記打球槌の前記遊技球発射位置から前記遊技球発射準備位置への揺動と、前記遊技球発射準備位置から前記遊技球発射位置への揺動のいずれの揺動時にも前記連動レバーと係合し、前記打球槌の往復揺動に応じて前記連動レバーを強制的に往復揺動させるものであることを特徴とする弾球遊技機に係る。
【０００９】
【課題を解決するための手段】
すなわち、本発明は、押し上げ及び押し上げ解除により上下揺動して遊技球を１個ずつ遊技球発射位置へ送る球送り部材と、一方向への揺動により前記球送り部材を押し上げ、他方向への揺動により前記押し上げ解除を行う連動レバーと、前記遊技球発射位置と、遊技球発射準備位置間を往復揺動し、該揺動時に前記連動レバーと係合して連動レバーを揺動させるとともに、前記遊技球発射準備位置から遊技球発射位置への揺動時に遊技球発射位置の遊技球を弾発発射する打球槌とを備える弾球遊技機であって、前記遊技球発射準備位置から前記遊技球発射位置へ前記打球槌が戻る際に揺動した前記連動レバーと衝突する発射レールを備え、前記連動レバーに連動レバー側係合部を設け、前記打球槌には、少なくとも先端が二本あるいは二股とし該先端を略Ｌ字状に屈曲して前記連動レバー側係合部の両側を挟む打球槌側係合部が係合手段として設けられ、前記連動レバーに対する前記打球槌の係合手段が、前記打球槌の前記遊技球発射位置から前記遊技球発射準備位置への揺動と、前記遊技球発射準備位置から前記遊技球発射位置への揺動のいずれの揺動時にも前記連動レバーと係合し、前記打球槌の往復揺動に応じて前記連動レバーを強制的に往復揺動させるものであることを特徴とする弾球遊技機に係る。
【００１０】
【発明の実施の形態】
以下添付の図面に従ってこの発明を詳細に説明する。
図１はこの発明の一実施例に係る弾球遊技機全体の斜視図、図２は同弾球遊技機における一部部品を取り外した状態の全体正面図、図３は同弾球遊技機の遊技球供給皿付近を示す斜視図、図４は同弾球遊技機の遊技球供給皿の取付板を省略して示す遊技球供給皿の裏側正面図、図５は球送りカセットの分解斜視図、図６は球送りカセットの蓋部材と基体の裏側正面図、図７は球送りカセットと連動レバーと打球槌を示す一実施例に係る斜視図、図８は球送りカセットと発射レールが組み付けられた状態を示す斜視図、図９は遊技盤の表側から発射レールを見た斜視図、図１０は発射装置の分解斜視図、図１１は図１０に表す打球槌が遊技球発射位置にあるときの打球槌と連動レバーと球送りカセットを示す遊技機正面側からの要部正面図およびその要部のＡ−Ａ断面図、図１２は図１１に表す打球槌が遊技球発射準備位置にあるときの打球槌と連動レバーと球送りカセットを示す遊技機正面側からの要部正面図およびその要部のＢ−Ｂ断面図、図１３は図１１に表す打球槌が遊技球発射位置に戻ったときの打球槌と連動レバーと球送りカセットを示す遊技機正面側からの要部正面図およびその要部のＣ−Ｃ断面図である。
【００１１】
図１及び図２に示す弾球遊技機１は、枠体２の内側に遊技盤３が着脱交換可能に収容されており、その遊技盤３に遊技球の外側誘導レール４及び内側誘導レール５が略円形に立設され、遊技盤面３ａの前記外側誘導レール４と内側誘導レール５によって囲まれた遊技領域６の中心線上にその上部から下部に向かって順に画像表示装置９、普通電動役物である第１種始動入賞口１０，１１、特別電動役物である大入賞口１５、アウト口（排出口とも称される。）１７が配設され、また上方両側にはランプ風車１８ａ，１８ｂ、その下方に普通図柄変動開始用左ゲート１９と普通図柄変動開始用右ゲート２１、その下方に風車２２ａ，２２ｂ、その下方に左袖入賞口２３と右袖入賞口２５、さらには前記大入賞口１５の両側に左落とし入賞口２７と右落とし入賞口２９が配設されている。
【００１２】
また、前記枠体２の前面側には、ガラス枠３１、払い出された遊技球を受けて後述する発射装置Ｈに供給するための遊技球供給皿（上側球受け皿とも称される。）３２、該遊技球供給皿３２を取り付けるための取付板３３、前記遊技球供給皿３２の飽和時に遊技球を受けるための下側球受け皿３４、遊技状態を報知するランプ表示器３５、音声や効果音を発して遊技状態を遊技者に報知するスピーカ（図示せず）、不正行為等の防止のために枠体２を着脱不可能若しくは開閉不可能にするための鍵３７、遊技者の発射操作に応じて遊技球を遊技盤３の遊技領域６に向けて発射する発射装置Ｈ等がそれぞれ組み付けられている。
【００１３】
なお、図中の画像表示装置９に関し符号４１は数字，アルファベット，記号あるいは絵等の図柄を変動表示及び停止表示可能な普通図柄表示装置、６０は液晶表示盤（ドットマトリックス表示器）等の画像表示部からなる特別図柄表示装置であり、さらに符号３６はファウルカバー、３８は遊技球供給皿３２に遊技球を払い出す遊技球払出口、３９は下側球受け皿３４に遊技球を払い出す遊技球払出口である。前記特別図柄表示装置６０を構成する画像表示部は、前記のような液晶表示盤に限られるものではなく、ＬＥＤ、ＥＬ、ＣＲＴやその他発光体で構成されていてもよい。
【００１４】
前記遊技盤３の背面（裏面）には、図示しないが、前記下側の第１種始動入賞口１１を開閉する第１種始動入賞口用ソレノイドが設けられているとともに、前記第１種始動入賞口１０，１１に入賞した球を検出するフォトセンサや近接スイッチ等よりなる始動入賞口用入賞球検出手段が入賞球用通路に設けられており、該入賞球の検出によって前記特別図柄表示装置６０の図柄変動を開始するようになっている。さらに、前記普通図柄変動開始用左ゲート１９及び普通図柄変動開始用右ゲート２１はフォトセンサや近接スイッチ等よりなるゲート用入賞球検出手段を備え、該ゲート用入賞球検出手段で両ゲート１９，２１を通過する遊技球を検出することによって前記普通図柄表示装置４１の図柄変動を開始させるようになっている。そして、前記普通図柄表示装置４１の図柄変動の後に停止表示された図柄が予め設定されている特定の図柄であった場合には、普通図柄の当たりとなり、前記第１種始動入賞口１１の拡開開放を所定時間行うようになっている。
【００１５】
また、前記遊技盤３の大入賞口１５の背面側には、前記大入賞口１５の開閉板を開閉する大入賞口開放用ソレノイドと、前記大入賞口１５内の一部に形成された特定領域入賞口及びその開閉扉を所定条件時に開閉するための特定領域開放用ソレノイドとが設けられている。またさらに、前記特定領域入賞口への入賞球を検出するフォトセンサや近接スイッチ等よりなる特定領域入賞口用入賞球検出手段（特定入賞球検出スイッチ）が、前記大入賞口１５の背面側に設けられ、該入賞球の検出により大入賞口１５を再度開ける継続権利が成立するようにされているとともに、大入賞口１５への入賞球数を検出する大入賞口用入賞球検出手段（入賞球数カウントスイッチ）が設けられている。
【００１６】
前記大入賞口１５は次のように作動する。まず、前記第１種始動入賞口１０，１１に遊技球が入賞し、始動入賞口用入賞球検出手段によって入賞球が検出されると、前記特別図柄表示装置６０で複数の特別図柄の変動を開始する。そして、所定時間変動後、前記複数の特別図柄が変動停止して、停止図柄が特別図柄表示装置６０に確定表示される。そのときの確定表示図柄の組合せが、あらかじめ決められた特定の大当たり組合せ、例えば、同一図柄の組合せからなる通称ゾロ目になると、大当たりが成立する。大当たりになると、前記大入賞口１５の開閉板が下部を回動支点として開いて遊技領域６を落下してくる遊技球を受け止め、大入賞口１５内へ入賞可能にする。
【００１７】
また、この実施例の遊技盤３の背面側においては、前記左袖入賞口２３に接続された左袖入賞口入賞球用通路と、右袖入賞口２５に接続された右袖入賞口入賞球用通路に、フォトセンサや近接スイッチ等よりなる左袖入賞口用入賞球検出手段と右袖入賞口用入賞球検出手段が設けられている。さらに、左落とし入賞口２７に接続された左落とし入賞口入賞球用通路と、右落とし入賞口２９に接続された右落とし入賞口入賞球用通路に、フォトセンサや近接スイッチ等よりなる左落とし入賞口用入賞球検出手段と右落とし入賞口用入賞球検出手段が設けられている。また、この実施例では、それぞれの入賞口における入賞球の検出結果に基づいて所定数の賞品球が払い出されるようになっている。
【００１８】
さらに、この実施例では、前記のように各入賞口のそれぞれに検出手段を設けているが、この発明の弾球遊技機はこれに限られるものではない。例えば、各入賞口の入賞球を１カ所に集めて検出し、その入賞球の累積計算を行うようにしてもよい。
【００１９】
なお、図中の符号８５は発射球誘導路、８６は発射球逆流防止手段、８７は逆流防止片、８８は発射レール、１０５はミドルプレートである。
【００２０】
加えて、前記遊技機１内には、それぞれの入賞口における入賞球の検出結果に基づいて所定数の賞品球を払い出す賞品球払出装置と、球貸情報の記録されたプリペイドカードがプリペイドカードユニット１５０のカード挿入口１５１に投入された状態で、遊技者がボタン等の操作を行うことにより、所定数の貸球を払い出す貸球払出装置とを備えている。前記賞品球払出装置又は貸球払出装置により払い出された遊技球は、遊技球払出口３８から遊技球供給皿３２に払い出され、該遊技球供給皿３２の遊技球貯留部３２ａに貯留される。
【００２１】
前記遊技球供給皿３２は、遊技球を所要量貯留できる大きさからなり、図３に示すように、その左側に前記遊技球払出口３８が設けられ、反対の右側下部が取付板３３の通孔３３ａを介して遊技球供給皿３２の裏側へ通じ、遊技球供給皿３２内の遊技球を遊技球供給皿３２の裏側へ誘導するようになっている。前記遊技球供給皿３２の内部底面３２ｄの形状は、遊技球が前記通孔３３ａ側へ転動するように遊技球払出口３８側から通孔３３ａ側にかけて低くされ、また遊技球が一列に整列して通孔３３ａを通るように、前後幅が通孔３３ａ側で狭くされている。
【００２２】
前記遊技球供給皿３２の外側前面には、遊技者が貸球の払出操作を行う球貸出操作部１５２が設けられている。この球貸出操作部１５２には、度数表示器１５３、球貸出ボタン１５４、カード返却ボタン１５５が設けられている。また、前記遊技球供給皿３２の右側上面には、この遊技球供給皿３２の遊技球を球抜きして前記下側球受け皿３４へ移すための球返却ボタンＲが設けられている。
【００２３】
また、前記遊技球供給皿３２の裏側には、前記取付板３３の通孔３３ａと連通する球送りカセットＫ（図４等に示す）が取付板３３の裏側（遊技機裏側）に設けられている。この球送りカセットＫについて、主として図４ないし図６を用いて、以下に詳述する。
【００２４】
前記球送りカセットＫは、前記取付板３３を省略して示す図４のように、遊技球供給皿３２の裏側に取付板３３（図４では図示せず）を介してねじ４１Ａ，４１Ｂにより螺着されている。この球送りカセットＫ内には、前記取付板３３の通孔３３ａを介して遊技球供給皿３２と通じ、該遊技球供給皿３２の遊技球を発射装置Ｈへ誘導する遊技球誘導経路４２が形成されており、また、前記遊技球誘導経路４２に、前記遊技球を発射装置Ｈの発射位置へ送り込む球送り手段としての球送り部材Ｔが設けられている。
【００２５】
前記球送りカセットＫは、図５及び図６から明らかなように、蓋部材Ｋ１と基体Ｋ２とで構成され、該基体Ｋ２側が取付板３３の裏側に固定される。前記蓋部材Ｋ１は、左右方向の一端側に基体Ｋ２との連結用軸部Ｋ３が形成され反対側に基体Ｋ２への係止用孔Ｋ４が形成されている。
【００２６】
前記基体Ｋ２は、前記蓋部材Ｋ１側が開口した箱状からなり、左右方向一端側に前記蓋部材Ｋ１の連結用軸部Ｋ３が挿入される軸受け部Ｋ３ａが形成され、また、該基体Ｋ２内の背面Ｋ５には、前記蓋部材Ｋ１の係止用孔Ｋ４へ係止する係止爪Ｋ６が形成されている。さらに、前記基体Ｋ２内の背面Ｋ５には、遊技球誘導経路底面４２１とカセット側通孔Ｋ７が形成されている。前記遊技球誘導経路底面４２１は、前記蓋部材Ｋ１側へ向けてリブ状に、かつ左右方向一側から他側へ向けて斜め下方へ傾斜した所定長さで突出形成されており、該遊技球誘導経路底面４２１の上側が蓋部材Ｋ１と基体Ｋ２間で遊技球誘導経路４２を構成している。また、前記カセット側通孔Ｋ７は、前記遊技球誘導経路４２の上流側位置において、前記取付板３３の通孔３３ａと重なるように形成され、前記遊技球供給皿３２の遊技球が取付板３３の通孔３３ａ及びカセット側通孔Ｋ７を通って球送りカセットＫ内の遊技球誘導経路４２に誘導されるようになっている。なお、図５に示すように、前記基体Ｋ２のカセット側通孔Ｋ７と対向する蓋部材Ｋ１の内面には、前記カセット側通孔Ｋ７を通って球送りカセットＫ内に誘導された遊技球をスムーズに遊技球誘導経路４２へ導くための湾曲したガイド面Ｋ８が形成されている。図６における符号Ｋ９は、前記基体Ｋ２内の背面Ｋ５から突出形成された上側仕切であり、前記遊技球誘導経路４２の上面を構成し、球送り部材Ｔ側上方に至る。
【００２７】
さらに、前記基体Ｋ２内の背面Ｋ５の下部には、球抜き経路４３を構成する球抜き経路用仕切Ｋ１０，Ｋ１１が形成されている。前記球抜き経路４３の上端は、前記遊技球誘導経路４２の下端位置で開口する球抜き口４４を構成し、下端は前記蓋部材Ｋ１の下部に形成された球抜き用通孔Ｋ１２（図７に示す）に通じるようになっており、この球抜き用通孔Ｋ１２が図示しない樋部材を介して前記下側球受け皿３４に通じるようにされる。
【００２８】
前記球抜き経路４３を構成する二つの仕切Ｋ１０，Ｋ１１のうち、前記遊技球誘導経路４２の上流側となる仕切Ｋ１０については、前記遊技球誘導経路底面４２１の下端まで形成され、それに対して前記遊技球誘導経路４２の下流側となる仕切Ｋ１１については、球抜き経路４３の上方途中までしか形成されてなく、前記球抜き経路４３の残りの上部を構成する仕切Ｋ１３（図５に示す）については、前記蓋部材Ｋ１側に形成されている。さらに、前記蓋部材Ｋ１側に形成された仕切Ｋ１３の上端位置は、前記遊技球誘導経路底面４２１の下端より低くされている。
【００２９】
前記球抜き口４４の位置する基体Ｋ１の背面Ｋ５には、開閉板用開口Ｋ１４が形成され、図４に示すように、球抜き口開閉板４６が球抜き口４４内に対し前進後退可能に設けられる。この実施例では、球抜き口開閉板４６は、前記遊技球供給皿３２の球返却ボタンＲを押し下げると後退し、前記球抜き口４４を開くようになっている。なお、前記球抜き口開閉板４６が前進して球抜き口４４を塞ぐことにより、前記遊技球誘導経路底面４２１を転動してくる遊技球は前記球抜き口開閉板４６上を通ってさらに下流の球受け部Ｔ２まで転動し、球送り部材Ｔの揺動に伴い球送り部Ｔ３に保持され順次発射レール８８（図８に図示）の発射位置８８Ｌ（図９に図示）に供給される。
【００３０】
前記球抜き口４４に隣接する下流側位置には、球送り手段としての球送り部材Ｔが設けられる。この球送り部材Ｔが設けられる部位では、前記基体Ｋ２内の背面Ｋ５に一対の球送り部材軸受けＫ１５，Ｋ１６が形成されると共に、該球送り部材軸受けＫ１５，Ｋ１６と対向する前記蓋部材Ｋ１の部分は、切り欠かれて発射手段側遊技球出口Ｋ１７（図７に示す）として開口している。また前記上側仕切Ｋ９の下流側部分は、後述の球送り部材Ｔの球受け部Ｔ２との間に遊技球１個分収容可能な空間を残して設けられ、さらに後述の球送り部材Ｔの本体部Ｔ１の下流側に隣接する位置で垂下して立壁Ｋ１８を構成している。
【００３１】
前記球送り部材Ｔは、縦に分割された半円板の上半部円周側を切り欠いて側面視略Ｊ字形状にし、頂部外周面の小円弧で構成される部分を球受け部Ｔ２とし、上下中間位置の切り欠きからなる湾曲窪み部分を球送り部Ｔ３とした本体部Ｔ１と、該本体部Ｔ１の中心付近に挿通されて本体部Ｔ１の両側へ所要量突出した支軸Ｔ４と、該支軸Ｔ４から離れた前記球送り部Ｔ３の外周寄りに一端が挿通固定されて支軸Ｔ４と平行にされた軸状の押し上げ部Ｔ５及び該押し上げ部Ｔ５の他端先端に装着された回転可能な筒体Ｔ６とで構成される。前記球受け部Ｔ２の上面Ｔ２ａは、前記本体部Ｔ１が垂直となって球受け部Ｔ２が真上に位置する際に遊技球を一旦受けることができる大きさとなっている。また、前記球送り部Ｔ３については、前記支軸Ｔ４を中心として球送り部Ｔ３側が上方へ所要量揺動した時に、前記球受け部Ｔ２からの遊技球を球送り部Ｔ３の窪んだ上面に１個保持できるようになっていると共に、前記本体部Ｔ１が自重で下方へ揺動して垂直に戻った際には、それまで保持していた遊技球を球送り部Ｔ３の上面から球送りカセットＫ裏側の発射位置へ転がり出せる傾斜状態となるように形成されている。
【００３２】
前記構成の球送り部材Ｔは、前記球受け部Ｔ２を上向きにし、かつ前記球送り部Ｔ３を球送りカセットＫの発射手段側遊技球出口Ｋ１７に位置させて、前記支軸Ｔ４の両端が基体Ｋ２内背面Ｋ５の球送り部材軸受けＫ１５，Ｋ１６に嵌着される。このようにして取り付けられた球送り部材Ｔは、図７ないし図９に示すように、前記発射レール８８に回動軸５０Ｄが軸着された連動レバー５０の揺動により押し上げ部Ｔ５の押し上げ及び押し上げ解除が行われる。
【００３３】
前記連動レバー５０は、回動軸５０Ｄを介して下側の係合アーム５０Ａと斜め上側の押し上げ作動アーム５０Ｂが一体に連結され、該押し上げ作動アーム５０Ｂの先端上側５２に、前記押し上げ部Ｔ５の筒体Ｔ６が位置するようにされる。また、この例の連動レバー５０は、前記係合アーム５０Ａが連動レバー側係合部を兼ね、当該係合アーム（連動レバー側係合部）５０Ａにおいて打球槌Ｈ３の往復揺動方向両側部５１，５１が、後述の発射装置Ｈにおける打球槌Ｈ３と係合し、該打球槌Ｈ３と連動して係合アーム５０Ａが揺動するようになっている。その係合アーム５０Ａの揺動によって連動レバー５０の押し上げ作動アーム５０Ｂが上下に揺動し、その上下揺動に合わせて前記押し上げ作動アーム５０Ｂの先端上側５２が押し上げ部Ｔ５（筒体Ｔ６）を上方へ押し上げたり、押し上げを解除したりする。すなわち、前記球送り部材Ｔは押し上げ部Ｔ５が、連動レバー５０の一方向への揺動により押し上げ作動アーム５０Ｂを上方へ押し上げ、他方向への揺動により押し上げ作動アーム５０Ｂを下方へ下げることとなり、前記支軸Ｔ４を中心にして上向きに揺動し、それによって前記球送り部Ｔ３が球送りカセットＫの蓋部材Ｋ１側の上方へ揺動すると共に球受け部Ｔ２が球送りカセットＫの基体Ｋ２側へ揺動し、また前記押し上げ部Ｔ５が連動レバー５０の押し上げ作動アーム５０Ｂによる押し上げ解除によって、自重で下向きに揺動し、それにより前記球送り部Ｔ３側が下方の元の位置まで揺動すると共に、前記球受け部Ｔ２が元の真上の位置となり、前記本体部Ｔ１が垂直状態に戻る。
【００３４】
前記発射レール８８は、その下端が前記球送りカセットＫにおける発射手段側遊技球出口Ｋ１７の下側に位置するようにして、前記遊技球供給皿３２の裏側に球送りカセットＫと組み合わされて取り付けられ、前記球送り部材Ｔの球送り部Ｔ３により発射手段側遊技球出口Ｋ１７を通って送り込まれてくる遊技球を、当該発射レール８８の下部上面の遊技球発射位置８８Ｌに一旦保持するようになっている。
【００３５】
前記打球槌Ｈ３は、前記遊技球発射位置と遊技球発射準備位置間を往復揺動可能に発射装置のベースＨ１８（図１０に示す）に軸着される。この打球槌Ｈ３の中間部には、前記連動レバー５０の係合アーム（連動レバー側係合部）５０Ａに係合する係合手段が設けられている。この例の係合手段は、少なくとも先端が二本あるいは二股とされた針金等からなる打球槌側係合部Ｈ２３，Ｈ３３で構成される。前記打球槌側係合部Ｈ２３，Ｈ３３の先端Ｈ２４，Ｈ３４は、略Ｌ字形状に屈曲して、前記係合アーム（連動レバー側係合部）５０Ａの両側５１，５１を挟んで係合するようになっている。なお、前記打球槌Ｈ３及び連動レバー５０の揺動を妨げないようにするため、前記打球槌側係合部Ｈ２３，Ｈ３３の先端Ｈ２４，Ｈ３４は、前記係合アーム（連動レバー側係合部）５０Ａの両側５１，５１に対して緩く接触あるいは僅か離れた状態とされ、前記打球槌Ｈ３の往復揺動に応じて、前記係合アーム（連動レバー側係合部）５０Ａが打球槌側係合部Ｈ２３，Ｈ３３の先端Ｈ２４，Ｈ３４間でスライドできるようになっている。
【００３６】
次に遊技球を発射する発射装置Ｈについて図１０を用いて説明する。発射装置Ｈは操作ハンドルＨ１と、該操作ハンドルＨ１に設けられて回転により弾発力を調節する操作レバーＨ６と、操作レバーＨ６の操作により駆動するステッピングモータ等からなる発射モータＨ２と、該発射モータＨ２の駆動により間欠的に揺動して遊技球を連続的に弾発発射する打球槌Ｈ３等を有している。図示の符号Ｈ４は発射装置制御基板、Ｈ５は操作ハンドルＨ１のハンドル本体、Ｈ７は遊技球の発射を強制的に停止するために操作ハンドルＨ１に設けられるオン・オフスイッチボタンからなる発射停止スイッチ、Ｈ８は発射モータＨ２のモータベース、Ｈ９は発射モータＨ２の回転軸（モータ軸）に直結される板カム、Ｈ１０は板カムＨ９と当接及び離間可能に打球槌Ｈ３に設けられた作動ピン、Ｈ１１は打球槌Ｈ３の揺動時の衝撃を吸収する上部ゴム、Ｈ１２は同じく下部ゴム、Ｈ１４は遊技球発射調節ダイヤル、Ｈ１５は打球槌Ｈ３と遊技球発射調節ダイヤルＨ１４間に張設される引張りバネ、Ｈ１６は遊技球発射調節ダイヤルＨ１４の回転量を変化させるプーリーユニット、Ｈ１７は遊技球発射調節ダイヤルＨ１４とプーリーユニットＨ１６を接続する線状伝達部材、Ｈ１８はベース、Ｈ１９はハンドルベースである。
【００３７】
上記発射装置Ｈは、前記操作レバーＨ６が遊技者により操作されると発射モータＨ２が駆動し、それにより前記板カムＨ９が回転して該板カムＨ９の外周を打球槌Ｈ３の作動ピンＨ１０が転がり、それに伴って前記打球槌Ｈ３が引張りバネＨ１５の力に反して遊技球発射位置から遊技球発射準備位置へ揺動し、前記板カムＨ９がさらに回転して前記作動ピンＨ１０が板カムＨ９の外周から外れると、前記引っ張りバネＨ１５の張力により打球槌Ｈ３が遊技球発射準備位置から遊技球発射位置へ戻り、該遊技球発射位置の遊技球を弾発発射させる。
【００３８】
その際、図１１に示すように、前記打球槌Ｈ３が遊技球発射位置に位置するとき、前記連動レバー５０の押し上げ作動アーム５０Ｂは球送り部材Ｔの押し上げ部Ｔ５に対して押し上げ解除状態にあり、前記球送り部材Ｔの本体部Ｔ１が垂直状態となって球受け部Ｔ２が真上に位置し、前記遊技球供給皿３２からの遊技球Ｐ１が球受け部Ｔ２で停留する。
【００３９】
前記遊技球発射位置から図１２に示す遊技球発射準備位置へ打球槌Ｈ３が揺動するとき、前記連動レバー５０は、前記係合アーム（連動レバー側係合部）５０Ａが前記打球槌Ｈ３の打球槌側係合部Ｈ２３，Ｈ３３の先端Ｈ２４，Ｈ３４間で挟まれて打球槌Ｈ３と係合しているため、前記打球槌Ｈ３の揺動方向へ係合アーム５０Ａが揺動し、それによって前記押し上げ作動アーム５０Ｂが上方へ揺動する。前記押し上げ作動アーム５０Ｂの上方揺動によって球送り部材Ｔの押し上げ部Ｔ５を押し上げ、前記球送り部材Ｔの本体部Ｔ１を上向きに揺動させて前記球受け部Ｔ２の遊技球Ｐ１を球送り部Ｔ３へ移動させる。
【００４０】
また、前記遊技球発射準備位置から図１３に示す遊技球発射位置へ打球槌Ｈ３が戻るとき、前記連動レバー５０は、前記係合アーム（連動レバー側係合部）５０Ａが前記打球槌Ｈ３の打球槌側係合部Ｈ２３，Ｈ３３の先端Ｈ２４，Ｈ３４間で挟持されて打球槌Ｈ３と係合しているため、前記打球槌Ｈ３の揺動方向へ係合アーム５０Ａが揺動し、それによって前記押し上げ作動アーム５０Ｂが下方へ強制的に揺動する。前記押し上げ作動アーム５０Ｂの下方揺動によって球送り部材Ｔの押し上げ部Ｔ５に対する押し上げを解除し、前記球送り部材Ｔの本体部Ｔ１を自重で下向きに揺動させて前記球送り部Ｔ３の遊技球Ｐ１を遊技球発射位置へ球送りする。その際、前記下方へ揺動した連動レバー５０の係合アーム５０Ａは前記発射レール８８の下部８８ｆ（図８に示す）に衝突することがあっても、前記係合アーム５０Ａにおける打球槌Ｈ３の往復揺動方向両側５１，５１が打球槌側係合部Ｈ２３，Ｈ３３で挟まれて、当該係合アーム５０Ａの自由な揺動が阻止されているため、前記衝突時の反動で係合アーム５０Ａ、すなわち連動レバー５０が不規則な揺動、及びそれによる前記球送り部材Ｔが不規則に上下揺動することが抑制される。その結果、遊技球発射位置へ遊技球が２個送られたり、遊技球が１個も送られなかったりすることがない。なお、今回の往復揺動によって遊技球発射位置へ球送りされた遊技球は、次回の打球槌Ｈ３の往復揺動時に発射される。
【００４１】
【発明の効果】
以上図示し説明したように、本発明に係る弾球遊技機においては、球送り部材を上下揺動させる連動レバーに対する打球槌の係合手段として、打球槌に少なくとも先端が二本あるいは二股としてこの先端を略Ｌ字状に屈曲させて連動レバー側係合部の両側を挟む打球槌側係合部を設け、打球槌の遊技球発射位置から遊技球発射準備位置への揺動と、遊技球発射準備位置から遊技球発射位置への揺動のいずれの揺動時にも連動レバーと係合し、打球槌の往復揺動に応じて連動レバーを強制的に往復揺動させるものを設けたため、従来のような遊技球発射位置から遊技球発射準備位置への戻りの揺動時に連動レバーを自由に揺動できるようにしたものと異なり、発射レールの下部に連動レバーが衝突する時の反動による連動レバーの不規則な揺動を抑制でき、１度に複数個の遊技球を遊技球発射位置へ送り出したり、送り出し損なう不具合を解消することができたのである。
【００４２】
また、打球槌の往復揺動と連動させて連動レバーを強制的に往復揺動させることが簡単な構造で可能となり、連動レバーの不規則な揺動及びそれによる遊技球の送り出し不具合を抑制することができたのである。
【図面の簡単な説明】
【図１】  この発明の一実施例に係る弾球遊技機全体の斜視図である。
【図２】  同弾球遊技機における一部部品を取り外した状態の全体正面図である。
【図３】  同弾球遊技機の遊技球供給皿付近を示す斜視図である。
【図４】  同弾球遊技機の遊技球供給皿の取付板を省略して示す遊技球供給皿の裏側正面図である。
【図５】  球送りカセットの分解斜視図である。
【図６】  球送りカセットの蓋部材と基体の裏側正面図である。
【図７】  球送りカセットと連動レバーと打球槌を示す一実施例に係る斜視図である。
【図８】  球送りカセットと発射レールが組み付けられた状態を示す斜視図である。
【図９】  遊技盤の表側から発射レールを見た斜視図である。
【図１０】  発射装置の分解斜視図である。
【図１１】  （ａ）は打球槌が遊技球発射位置にあるときの打球槌と連動レバーと球送りカセットを示す遊技機正面側からの要部正面図、（ｂ）はその要部のＡ−Ａ断面図である。
【図１２】  （ａ）は打球槌が遊技球発射準備位置にあるときの打球槌と連動レバーと球送りカセットを示す遊技機正面側からの要部正面図、（ｂ）はその要部のＢ−Ｂ断面図である。
【図１３】  （ａ）は打球槌が遊技球発射位置に戻ったときの打球槌と連動レバーと球送りカセットを示す遊技機正面側からの要部正面図、（ｂ）はその要部のＣ−Ｃ断面図である。
【図１４】  従来の連動レバーと打球槌と球送りカセットを示す斜視図である。
【図１５】  従来の連動レバーと発射レールと球送りカセットが組み付けられた状態を示す斜視図である。
【符号の説明】
１  弾球遊技機
６  遊技領域
５０  連動レバー
５０Ａ  係合アーム（連動レバー側係合部）
５０Ｂ  押し上げ作動アーム
５０Ｄ  回動軸
Ｈ３  打球槌
Ｈ２３，Ｈ３３  打球槌側係合部
Ｈ４３  挿入係合部
Ｔ  玉送り部材
Ｔ１  本体部
Ｔ２  球受け部
Ｔ３  玉送り部
Ｔ５  押し上げ部
８８  発射レール
【図１】
0003737419.tif 000002
【図２】
0003737419.tif 000003
【図３】
0003737419.tif 000004
【図４】
0003737419.tif 000005
【図５】
0003737419.tif 000006
【図６】
0003737419.tif 000007
【図７】
0003737419.tif 000008
【図８】
0003737419.tif 000009
【図９】
0003737419.tif 000010
【図１０】
0003737419.tif 000011
【図１１】
0003737419.tif 000012
【図１２】
0003737419.tif 000013
【図１３】
0003737419.tif 000014
【図１４】
0003737419.tif 000015
【図１５】
0003737419.tif 000016